Podtech/llm-jp-corpus-v4-ja_patent huggingface dataset:
【手続補正書】
【提出日】令和3年7月5日(2021.7.5)
【手続補正１】
【補正対象書類名】特許請求の範囲
【補正対象項目名】全文
【補正方法】変更
【補正の内容】
【特許請求の範囲】
【請求項１】
ダイズ加水分解産物を含む細胞培養培地中で組換え異種糖タンパク質を発現する細胞の集団を培養して、前記組換え異種糖タンパク質を生成することを含む方法であって、前記ダイズ加水分解産物が、≦０．０６７％（ｗ／ｗ）のオルニチンまたはプトレシンを含む、前記方法。
【請求項２】
前記細胞の集団が、組換え異種糖タンパク質を発現する細胞のクローン性増殖によって得られる、請求項１に記載の方法。
【請求項３】
前記ダイズ加水分解産物が０．００３％〜０．０２７％（ｗ／ｗ）のオルニチンまたはプトレシンを含む、請求項１〜２のいずれか１項に記載の方法。
【請求項４】
前記培養培地が≦５ｍｇ／Ｌのオルニチンまたはプトレシンを含む、請求項１〜３のいずれか１項に記載の方法。
【請求項５】
前記培養培地が０．６〜３ｍｇ／Ｌのオルニチンまたはプトレシンを含む、請求項１〜４のいずれか１項に記載の方法。
【請求項６】
前記糖タンパク質がトラップ分子である、請求項１〜５のいずれか１項に記載の方法。
【請求項７】
前記トラップ分子がエタネルセプト、リロナセプト及びアフリベルセプトからなる群から選択される、請求項６に記載の方法。
【請求項８】
前記糖タンパク質がＡ１  Ｎ−グリカン及び少なくとも１つの他のＮ−グリカン種を含み、Ａ１  Ｎ−グリカンの相対量が前記糖タンパク質の全Ｎ−グリカン種の総量の≧１０％（ｗ／ｗ）である、請求項１〜７のいずれか１項に記載の方法。
【請求項９】
ａ．グリコシル化タンパク質を発現する細胞を細胞培養培地中で培養して、前記糖タンパク質を生成すること、
ｂ．前記グリコシル化タンパク質を精製すること、
ｃ．前記精製したグリコシル化タンパク質をオリゴ糖フィンガープリント解析にかけること、
ｄ．前記糖タンパク質のＮ−グリカン種の総量と比較して、Ａ１  Ｎ−グリカンの相対量を決定すること、及び
ｅ．前記糖タンパク質のＮ−グリカン種の総量と比較して、少なくとも１０％（ｗ／ｗ）のＡ１  Ｎ−グリカンを提供するダイズ加水分解産物を選択すること
を含む方法。
【請求項１０】
前記選択されたダイズ加水分解産物が≦０．０６７％（ｗ／ｗ）のオルニチンまたはプトレシンを含む、請求項９に記載の方法。
【請求項１１】
前記選択されたダイズ加水分解産物が０．００３％〜０．０２７％（ｗ／ｗ）のオルニチンまたはプトレシンを含む、請求項９または１０に記載の方法。
【請求項１２】
前記培養培地が０．６〜３ｍｇ／Ｌのオルニチンまたはプトレシンを含む、請求項９〜１１のいずれか１項に記載の方法。
【請求項１３】
前記糖タンパク質がトラップ分子である、請求項９〜１２のいずれか１項に記載の方法。
【請求項１４】
前記トラップ分子がエタネルセプト、リロナセプト及びアフリベルセプトからなる群から選択される、請求項１３に記載の方法。
【請求項１５】
前記糖タンパク質が、糖タンパク質１モルあたり８〜１２モルのシアル酸、または糖タンパク質１モルあたり３５〜６５モルのシアル酸を含む、請求項９〜１４のいずれか１項に記載の方法。
【請求項１６】
糖タンパク質の製造で使用するためのダイズ加水分解産物を選択する方法であって、
ａ．ダイズ加水分解産物中のオルニチンまたはプトレシンの量を測定すること、
ｂ．≦０．０６７％（ｗ／ｗ）のオルニチンまたはプトレシンを有するダイズ加水分解産物を選択すること、及び
ｃ．前記選択されたダイズ加水分解産物をさらなる成分と組み合わせて、≦５ｍｇ／Ｌのオルニチンまたはプトレシンを有する細胞培養培地を形成すること
を含む、前記方法。
【請求項１７】
前記選択されたダイズ加水分解産物が０．００３％〜０．０２７％（ｗ／ｗ）のオルニチンまたはプトレシンを含む、請求項１６に記載の方法。
【請求項１８】
前記培養培地が０．６〜３ｍｇ／Ｌのオルニチンまたはプトレシンを含む、請求項１６または１７に記載の方法。
【請求項１９】
前記糖タンパク質がトラップ分子である、請求項１６〜１８のいずれか１項に記載の方法。
【請求項２０】
前記トラップ分子がエタネルセプト、リロナセプト及びアフリベルセプトからなる群から選択される、請求項１９に記載の方法。
【請求項２１】
前記糖タンパク質がＡ１  Ｎ−グリカン及び少なくとも１つの他のＮ−グリカン種を含み、Ａ１  Ｎ−グリカンの相対量が前記糖タンパク質の全Ｎ−グリカン種の総量の≧１０％（ｗ／ｗ）である、請求項１６〜２０のいずれか１項に記載の方法。
【請求項２２】
Ａ１  Ｎ−グリカン及び少なくとも１つの他のＮ−グリカン種を含む糖タンパク質であって、前記Ａ１  Ｎ−グリカンの相対量が前記糖タンパク質のＮ−グリカンの総量の少なくとも１０％（ｗ／ｗ）である、前記糖タンパク質。
【請求項２３】
前記糖タンパク質がトラップ分子である、請求項２２に記載の糖タンパク質。
【請求項２４】
前記トラップ分子がエタネルセプト、リロナセプト及びアフリベルセプトからなる群から選択される、請求項２３に記載の糖タンパク質。
【請求項２５】
前記糖タンパク質がＡ２  Ｎ−グリカン、Ａ２Ｆ  Ｎ−グリカン、Ａ１Ｆ  Ｎ−グリカン、ＮＧＡ２Ｆ  Ｎ−グリカン、ＮＡ２Ｇ１Ｆ  Ｎ−グリカン、ＮＡ２  Ｎ−グリカン及びＮＡ２Ｆ  Ｎ−グリカンをさらに含む、請求項２２に記載の糖タンパク質。
【請求項２６】
前記Ａ１  Ｎ−グリカンの相対量が、キャピラリー電気泳動によって得られるオリゴ糖フィンガープリントの前記Ａ１  Ｎ−グリカンのピーク下の面積を全Ｎ−グリカンに対するピーク下の全面積と比較することによって決定される、請求項２２〜２５のいずれか１項に記載の糖タンパク質。
【請求項２７】
前記Ａ１  Ｎ−グリカンの相対量が１０％〜１７％（ｗ／ｗ）である、請求項２２〜２６のいずれか１項に記載の糖タンパク質。
【請求項２８】
前記糖タンパク質が、糖タンパク質１モルあたり３５〜６５モルのシアル酸を有するリロナセプトである、請求項２４に記載の糖タンパク質。
【請求項２９】
前記リロナセプトが配列番号１の残基Ｎ３７、Ｎ９８、Ｎ４１８及びＮ５１１のいずれか１つまたは複数にＡ１  Ｎ−グリカンを含む、請求項２８に記載の糖タンパク質。
【請求項３０】
前記糖タンパク質が、糖タンパク質１モルあたり８〜１２モルのシアル酸を有するアフリベルセプトである、請求項２４に記載の糖タンパク質。
【請求項３１】
前記アフリベルセプトが配列番号２の残基Ｎ１２３及びＮ１９６のいずれか１つまたは複数にＡ１  Ｎ−グリカンを含む、請求項３０に記載の糖タンパク質。
【手続補正書】
【提出日】令和3年7月5日(2021.7.5)
【手続補正１】
【補正対象書類名】特許請求の範囲
【補正対象項目名】全文
【補正方法】変更
【補正の内容】
【特許請求の範囲】
【請求項１】
診断システムであって、
（ｉ）個人から試料を受け入れる手段；
（ｉｉ）ＲＳＧ１、ＴＰＲＡ１、ＳＡＰ２５、ＭＦＳＤ３、ＦＩＴＭ１、ＳＰＴＢＮ５、ＣＥＭＰ１、ＡＳＰＳＣＲ１、ＮＡＰＳＢ、ＮＡＰＳＡ、ＮＬＲＰ２、ＲＨＢＤＤ３、ＦＲＭＤ６、ＴＩＭＰ３、ＡＣＶＲ１Ｃ、ＤＮＭ１Ｐ４６、ＫＩＲ２ＤＬ４、ＵＳＰ９Ｙ、ＡＮＫＲＤ２２、ＢＣＯＲＰ１、ＨＭＣＮ１、ＧＰＲ６３、ＢＡＴＦ２、ＳＬＣ２２Ａ１、ＡＧＲＮ、ＣＫＡＰ２Ｌ、ＩＧＳＦ１０、ＨＥＸＡ−ＡＳ１、ＬＯＣ７２８４３１、ＰＤＺＫ１ＩＰ１、ＮＥＧＲ１、ＫＣＮＨ８、ＣＣＲ８、ＭＭＥ、ＥＴＶ５、ＣＸＣＬ９、ＨＢＥＧＦ、ＲＡＮＢＰ１７、ＤＤＸ４３、Ｃ６ｏｒｆ１６４、Ｃ７ｏｒｆ５０、ＮＥＦＬ、ＣＤＣＡ２、ＡＬＤＨ１Ａ１、ＯＬＦＭ１、ＦＡＤＳ３、ＳＡＣ３Ｄ１、ＦＺＤ４、ＲＢＰＭＳ２、Ｃ１５ｏｒｆ３８、ＳＴ６ＧＡＬＮＡＣ１、ＣＨＭＰ６、ＳＫＡ１、ＣＤ２０９、ＳＮＡＰＣ２、ＡＸＬ、ＫＩＲ２ＤＬ１、ＮＴＳＲ１、ＳＥＰＴ５、ＫＡＬ１、ＰＲＲＧ１、ＸＩＳＴ、ＲＰＳ４Ｙ１、ＺＦＹ、ＰＲＫＹ、ＴＴＴＹ１５、ＤＤＸ３Ｙ、ＵＴＹ、ＴＸＬＮＧ２Ｐ、ＫＤＭ５Ｄ、ＥＩＦ１ＡＹ、またはＦＩＴＭ１を含む少なくとも１個の遺伝子の前記試料中の遺伝子発現レベルを決定する手段；
（ｉｉｉ）前記遺伝子発現レベルに基づいて前記個人が治療を必要とするかを決定する手段、
を含む、診断システム。
【請求項２】
前記試料が、血液、尿、痰、髪、または皮膚を含む、請求項１に記載の診断システム。
【請求項３】
前記遺伝子発現レベルが、予想される発現レベル値に対する前記少なくとも１個の遺伝子の発現の増加または減少のいずれかである、請求項１に記載の診断システム。
【請求項４】
決定される前記試料中の前記遺伝子発現レベルが、ＲＳＧ１、ＴＰＲＡ１、ＳＡＰ２５、ＭＦＳＤ３、ＦＩＴＭ１、ＳＰＴＢＮ５、ＣＥＭＰ１、ＡＳＰＳＣＲ１、ＮＡＰＳＢ、ＮＡＰＳＡ、ＮＬＲＰ２、ＲＨＢＤＤ３、ＦＲＭＤ６、ＴＩＭＰ３、ＡＣＶＲ１Ｃ、ＤＮＭ１Ｐ４６、ＫＩＲ２ＤＬ４、ＵＳＰ９Ｙ、ＡＮＫＲＤ２２、ＢＣＯＲＰ１、ＨＭＣＮ１、ＧＰＲ６３、ＢＡＴＦ２、ＳＬＣ２２Ａ１、ＡＧＲＮ、ＣＫＡＰ２Ｌ、ＩＧＳＦ１０、ＨＥＸＡ−ＡＳ１、ＬＯＣ７２８４３１、ＰＤＺＫ１ＩＰ１、ＮＥＧＲ１、ＫＣＮＨ８、ＣＣＲ８、ＭＭＥ、ＥＴＶ５、ＣＸＣＬ９、ＨＢＥＧＦ、ＲＡＮＢＰ１７、ＤＤＸ４３、Ｃ６ｏｒｆ１６４、Ｃ７ｏｒｆ５０、ＮＥＦＬ、ＣＤＣＡ２、ＡＬＤＨ１Ａ１、ＯＬＦＭ１、ＦＡＤＳ３、ＳＡＣ３Ｄ１、ＦＺＤ４、ＲＢＰＭＳ２、Ｃ１５ｏｒｆ３８、ＳＴ６ＧＡＬＮＡＣ１、ＣＨＭＰ６、ＳＫＡ１、ＣＤ２０９、ＳＮＡＰＣ２、ＡＸＬ、ＫＩＲ２ＤＬ１、ＮＴＳＲ１、ＳＥＰＴ５、ＫＡＬ１、ＰＲＲＧ１、ＸＩＳＴ、ＲＰＳ４Ｙ１、ＺＦＹ、ＰＲＫＹ、ＴＴＴＹ１５、ＤＤＸ３Ｙ、ＵＴＹ、ＴＸＬＮＧ２Ｐ、ＫＤＭ５Ｄ、ＥＩＦ１ＡＹ、またはＦＩＴＭ１を含む２個の遺伝子についてである、請求項１に記載の診断システム。
【請求項５】
前記遺伝子発現レベルが、スコアを割り当てられ、かつ前記治療が、前記スコアに基づいて決定される、請求項１に記載の診断システム。
【請求項６】
前記スコアが、機能回復能（ＦＲＰ）スコアを含む、請求項５に記載の診断システム。
【請求項７】
前記スコアが、複数の個体の既知の遺伝子発現レベルおよび既知のＦＲＰスコアを含むデータの線形判別分析に基づいて決定される、請求項６に記載の診断システム。
【請求項８】
前記治療が、機械的循環補助（ＭＣＳ）手術、心臓移植（ＨＴｘ）手術、冠動脈バイパス移植（ＣＡＢＧ）手術、経皮的冠動脈インターベンション（ＰＣＩ）、大動脈弁置換術（ＡＶＲ）手術、僧帽弁置換術（ＭＶＲ）手術、経カテーテル大動脈弁置換術（ＴＡＶＲ）、経カテーテル僧帽弁クリップ、心室性頻拍アブレーション、または星状神経節切除から選択される、請求項７に記載の診断システム。
【請求項９】
前記遺伝子発現レベルが、ポリメラーゼ連鎖反応（ＰＣＲ）、次世代シーケンシング（ＮＧＳ）、または他の遺伝子発現アッセイプラットフォームによって決定されるレベルである、請求項８に記載の診断システム。
【請求項１０】
前記ＰＣＲが、ＧＡＰＤＨ−ｆ：ＣＣＡＣＴＣＣＴＣＣＡＣＣＴＴＴＧＡＣ（配列番号１）；ＧＡＰＤＨ−ｒ：ＡＣＣＣＴＧＴＴＧＣＴＧＴＡＧＣＣＡ（配列番号２）；ＫＩＲ２ＤＬ４−ｆ：ＡＣＣＣＡＣＴＧＣＣＴＧＴＴＴＣＴＧＴＣ（配列番号３）；ＫＩＲ２ＤＬ４−ｒ：ＡＴＣＡＣＡＧＣＡＴＧＣＡＧＧＴＧＴＣＴ（配列番号４）；ＮＡＰＳＡ−ｆ：ＣＡＧＧＡＣＡＣＣＴＧＧＧＴＴＣＡＣＡＣ（配列番号５）；ＮＡＰＳＡ−ｒ：ＧＧＴＴＧＧＡＣＴＣＧＡＴＧＡＡＧＡＧＧ（配列番号６）；ＢＡＴＦ２−ｆ：ＡＡＡＧＧＣＡＧＣＴＧＡＡＧＡＡＧＣＡＧ（配列番号７）；ＢＡＴＦ２−ｒ：ＴＣＴＴＴＴＴＣＣＡＧＡＧＡＣＴＣＧＴＧＣ（配列番号８）；ＡＮＫＲＤ２２−ｆ：ＣＴＣＡＧＣＣＡＧＧＡＡＧＧＡＴＴＴＴＧ（配列番号９）；ＡＮＫＲＤ２２−ｒ：ＴＧＡＴＡＧＧＣＴＧＣＴＴＧＧＣＡＧＡＴ（配列番号１０）から選択される１つ以上のプライマーを使用して実施される、請求項９に記載の診断システム。
【請求項１１】
前記個人が駆出率の低下または駆出率の保持を伴う心不全に罹患している、請求項１に記載の診断システム。
【請求項１２】
前記診断システムは、基準値に対して前記遺伝子発現レベルを比較するように構成される、請求項１に記載の診断システム。
【請求項１３】
基準値は、心不全および／または主要臓器機能不全から回復する対象において観察される遺伝子のセットの発現レベルに対応する、請求項１に記載の診断システム。
【請求項１４】
前記個人は、主要臓器機能不全に罹患している、請求項１に記載の診断システム。
【請求項１５】
前記試料中の前記遺伝子発現レベルは、ＤＮＭ１Ｐ４６、ＢＣＯＲＰ１、ＨＥＸＡ−ＡＳ１、ＢＡＴＦ２、ＡＧＲＮ、ＡＮＫＲＤ２２、ＦＲＭＤ６、ＫＩＲ２ＤＬ４、ＳＡＰ２５、ＮＡＰＳＡ、ＴＩＭＰ３、およびＲＨＢＤＤ３に関し決定するように構成される、請求項１に記載の診断システム。
【手続補正書】
【提出日】令和3年6月28日(2021.6.28)
【手続補正１】
【補正対象書類名】特許請求の範囲
【補正対象項目名】全文
【補正方法】変更
【補正の内容】
【特許請求の範囲】
【請求項１】
基材（１Ａ、１Ｂ、４）から、該基材（１Ａ、１Ｂ、４）のエッチングから生じるエッチング残渣を含むパッシベーション層（２）を除去するのに適した洗浄化学組成物であって、該化学組成物が、
−酢酸を含む弱酸であって、該弱酸の含有量が化学組成物の重量に対して２０重量％〜９５重量％である弱酸、
−メタンスルホン酸を含む非酸化性強酸であって、該非酸化性強酸の含有量が、化学組成物の重量に対して、５重量％〜５０重量％である非酸化性強酸、
−含有量が化学組成物の重量に対して０．２重量％〜２重量％であるフッ化水素酸、
−含有量が化学組成物の重量に対して２重量％〜２０重量％である水、
を含むことを特徴とする、化学組成物。
【請求項２】
前記弱酸の含有量が前記化学組成物の重量に対して５０重量％〜８０重量％であり、前記非酸化性強酸の含有量が前記化学組成物の重量に対して１５重量％〜５０重量％である、請求項１に記載の化学組成物。
【請求項３】
前記強酸がさらに塩酸を含む請求項１又は請求項２に記載の組成物。
【請求項４】
基材（１Ａ、１Ｂ、４）から、該基材（１Ａ、１Ｂ、４）のエッチングから生じるエッチング残渣を含むパッシベーション層（２）を除去するための洗浄方法であって、次のステップ：
−先行する請求項のうちの１つによる洗浄化学組成物を提供するステップ、
−該化学組成物を前記基材（１Ａ、１Ｂ、４）から前記パッシベーション層（２）を除去するのに十分な時間、前記前記パッシベーション層（２）に接触させるステップ、
を含むことを特徴とする、洗浄方法。
【請求項５】
前記化学組成物は６０重量％〜８０重量％の濃度を有するメタンスルホン酸から製造される請求項４に記載の方法。
【請求項６】
前記洗浄化学組成物は３０重量％〜４０重量％の濃度を有する塩酸から製造される請求項４に記載の方法。
【請求項７】
前記接触ステップに先立って、前記パッシベーション層（２）が、プラズマイオンと前記基材（１Ａ、１Ｂ、４）の層または層のスタックのうちの少なくとも１つ層との相互作用により生じる基材（１Ａ、１Ｂ、４）、の層または層のスタックをプラズマエッチングするためのステップを含む、請求項４〜６のうちの１項に記載の方法。
【請求項８】
前記期間の間、前記パッシベーション層（２）と接触しており、化学組成物が２０℃〜４０℃、好ましくは２０℃〜３０℃の温度にある、請求項４〜７のうちの１項に記載の方法。
【請求項９】
前記パッシベーション層（２）が、次の化学元素：タンタル、ハフニウム、ジルコニウムのうちの１つ以上を含む、請求項４〜８のうち１項に記載の方法。
【請求項１０】
前記基材（１Ａ、１Ｂ、４）のエッチングされた層またはエッチングされた層のスタックの構成材料が、次の材料：金属、金属酸化物、半導体材料、半導体材料の酸化物のうちの１つ以上から選択される、請求項７に記載の方法。
【請求項１１】
前記基材（１Ａ、１Ｂ、４）のエッチングされた層またはエッチングされた層のスタックの構成材料がアルミニウムおよび／または銅を含む、請求項７に記載の方法。
【手続補正書】
【提出日】令和3年6月8日(2021.6.8)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
基地局において、送信時間間隔に対する制御リソースセット(コアセット)を識別するステップであって、前記コアセットが、共通探索空間(CSS)およびユーザ機器(UE)固有の探索空間(USS)を含む、識別するステップと、
前記コアセットの前記CSSおよび前記USS内で送信するための基準信号を、前記基地局において識別するとともに、前記コアセットに対する共通シーケンスを使用して前記識別された基準信号を、前記基地局において符号化するステップと、
前記符号化され識別された基準信号を前記コアセットの前記CSSおよび前記USS内で、前記基地局において送信するステップと
を含む、方法。
【請求項２】
前記コアセットの構成の指示を物理ブロードキャストチャネル(PBCH)または無線リソース制御(RRC)メッセージ内で送信するステップ
をさらに含む、請求項1に記載の方法。
【請求項３】
前記コアセットに対する前記共通シーケンスを識別するステップであって、前記共通シーケンスが、無線ネットワーク一時識別子に少なくとも部分的に基づく、識別するステップ
をさらに含む、請求項1に記載の方法。
【請求項４】
同じプリコーダまたは連続プリコーダを使用して、前記識別された基準信号を含めて、前記コアセットをプリコーディングするステップ、または前記基準信号をプリコーディングするステップ
をさらに含む、請求項1に記載の方法。
【請求項５】
複数の異なるプリコーダのうちの1つを使用して、前記識別された基準信号を含めて、前記コアセットの複数の制御チャネル要素(CCE)の各CCEをプリコーディングするステップ
をさらに含む、請求項1に記載の方法。
【請求項６】
複数のリソース要素グループ(REG)の各々に対する複数の異なるプリコーダのうちの1つを使用して、前記識別された基準信号を含めて、前記コアセットの制御チャネル要素(CCE)の前記複数のREGをプリコーディングするステップ
をさらに含む、請求項1に記載の方法。
【請求項７】
前記CSSが第1のアグリゲーションレベルを有し、前記USSが、前記第1のアグリゲーションレベルとは異なる第2のアグリゲーションレベルを有する、請求項1に記載の方法。
【請求項８】
同じプリコーダまたは連続プリコーダを使用して、前記コアセットの複数のリソース要素グループ(REG)バンドルのうちのREGバンドル内で前記基準信号をプリコーディングするステップ
をさらに含み、
前記コアセットの前記複数のREGバンドルの各REGバンドル内で前記基準信号をプリコーディングする前記ステップが、
第1のプリコーダを使用して、前記複数のREGバンドルのうちの第1のREGバンドル内で前記基準信号をプリコーディングするステップと、
前記第1のプリコーダとは異なる第2のプリコーダを使用して、前記複数のREGバンドルのうちの第2のREGバンドル内で前記基準信号をプリコーディングするステップと
を含む、請求項1に記載の方法。
【請求項９】
ユーザ機器(UE)によって実行されるワイヤレス通信のための方法であって、
複数の制御リソースセット(コアセット)に対する構成を識別するステップであって、各コアセットが、共通探索空間(CSS)およびUE固有の探索空間(USS)を含み、前記CSSおよびUSSが、各コアセットに対する共通シーケンスを使用して符号化された基準信号を含む、識別するステップと、
送信時間間隔の間に前記複数のコアセットのうちのコアセットを受信するステップと、
前記受信されたコアセットの前記CSSおよび前記USS内の基準信号を識別するステップであって、前記識別された基準信号が、前記コアセットに対する前記共通シーケンスを使用して符号化されている、識別するステップと、
前記共通シーケンスを使用して符号化された前記識別された基準信号に少なくとも部分的に基づいて、前記受信されたコアセットの前記CSSおよび前記USSを復号するステップと
を含む、方法。
【請求項１０】
前記コアセットの前記構成の指示を物理ブロードキャストチャネル(PBCH)または無線リソース制御(RRC)メッセージ内で受信するステップ
をさらに含む、請求項9に記載の方法。
【請求項１１】
前記識別された基準信号に少なくとも部分的に基づいて、前記CSSおよび前記USSを復号する前記ステップが、
無線ネットワーク一時識別子に少なくとも部分的に基づいて、前記識別された基準信号を復号するステップ
を含む、請求項9に記載の方法。
【請求項１２】
復号された基準信号に少なくとも部分的に基づいて、前記受信されたコアセットを搬送するチャネルに対するチャネル推定を実行するステップと、
前記チャネルに対して実行された前記チャネル推定に少なくとも部分的に基づいて、前記CSSおよび前記USS内の制御情報を復号するステップと
をさらに含む、請求項9に記載の方法。
【請求項１３】
前記コアセットが、1つまたは複数のシンボルに広がり、前記識別された基準信号が、前記コアセットの前記1つまたは複数のシンボルの中で受信される、請求項1または9に記載の方法。
【請求項１４】
ワイヤレス通信のための装置であって、
プロセッサと、
前記プロセッサと電子的に通信しているメモリと、
前記メモリ内に記憶された命令とを備え、前記命令が前記プロセッサによって実行されると、前記装置に請求項１〜１３のいずれか一項に記載の方法を行わせるように動作可能である、装置。
【請求項１５】
ワイヤレス通信のためのコードを記憶する非一時的コンピュータ可読記憶媒体であって、前記コードが命令を含み、前記命令がプロセッサによって実行されると、前記プロセッサに請求項１〜１３のいずれか一項に記載の方法を行わせる、非一時的コンピュータ可読記憶媒体。
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
ネットワークエンティティにおけるワイヤレス通信の方法であって、
システム情報ブロック(SIB)シグナリングに関連付けられたブロードキャスト送信または無線リソース制御(RRC)に関連付けられたユニキャスト送信を介する半静的構成に従ってスロットフォーマットを構成するステップであって、
前記ブロードキャスト送信がセル固有の無線リソース制御(RRC)に対応し、
前記ユニキャスト送信がUE固有のRRCに対応する、ステップと、
前記構成されたスロットフォーマットに従って少なくとも1つのユーザ機器(UE)と通信するステップと
を含む、方法。
【請求項２】
前記半静的構成に従って前記スロットフォーマットを構成するステップが、1つまたは複数のシンボル区分と前記1つまたは複数のシンボル区分の各々に対する送信割当てとを含むように前記スロットフォーマットを構成するステップを含む、請求項1に記載の方法。
【請求項３】
前記1つまたは複数のシンボル区分が、1スロットより長いかまたは1スロットより短い長さに対応する、請求項2に記載の方法。
【請求項４】
前記1つまたは複数のシンボル区分の各々に対する前記送信割当てが、ダウンリンク割当て、アップリンク割当て、空の割当て、またはフレキシブルな割当てのうちの少なくとも1つを含む、請求項2に記載の方法。
【請求項５】
前記スロットフォーマットが、前記半静的構成に関連付けられた第1のスロットフォーマットと動的構成に関連付けられた第2のスロットフォーマットとを含む、請求項1に記載の方法。
【請求項６】
スロットフォーマット構成表示を少なくとも1つの近隣ネットワークエンティティに送信するステップをさらに含み、
前記スロットフォーマット構成表示が、構成されたスロットフォーマットを前記少なくとも1つの近隣ネットワークエンティティに通知する、請求項1に記載の方法。
【請求項７】
前記スロットフォーマットが、1つまたは複数の帯域幅またはコンポーネントキャリアにわたって共通であるかまたは個別であるかの一方であり、
前記1つまたは複数の帯域幅またはコンポーネントキャリアの各々が、前記スロットフォーマットが1つまたは複数の帯域幅またはコンポーネントキャリアにわたって個別であるときに前記GC-PDCCHを搬送する、請求項1に記載の方法。
【請求項８】
ユーザ機器におけるワイヤレス通信の方法であって、
システム情報ブロック(SIB)シグナリングに基づくブロードキャスト送信または無線リソース制御(RRC)に基づくユニキャスト送信を介する半静的構成に従ってスロットフォーマットを構成するステップであって、
前記ブロードキャスト送信がセル固有の無線リソース制御(RRC)に対応し、
前記ユニキャスト送信がUE固有のRRCに対応する、ステップと、
前記スロットフォーマットに従ってネットワークエンティティと通信するステップと
を含む、方法。
【請求項９】
前記半静的構成に従って前記スロットフォーマットを構成するステップが、1つまたは複数のシンボル区分と前記1つまたは複数のシンボル区分の各々に対する送信割当てとを含むように前記スロットフォーマットを構成するステップを含む、請求項8に記載の方法。
【請求項１０】
前記送信割当てが、ダウンリンク割当て、アップリンク割当て、空の割当て、またはフレキシブルな割当てのうちの少なくとも1つを含む、請求項9に記載の方法。
【請求項１１】
動的構成に従って前記スロットフォーマットを構成するステップが、スロットフォーマットのテーブルの中の前記スロットフォーマットを参照するインデックス値に基づいて前記スロットフォーマットを構成するステップを含む、請求項8に記載の方法。
【請求項１２】
前記スロットフォーマットが、1つまたは複数の帯域幅またはコンポーネントキャリアにわたって共通である、請求項8に記載の方法。
【請求項１３】
請求項1乃至7または請求項8乃至11のいずれか1項に記載の方法をプロセッサに実行させるための命令を備えたコンピュータプログラム。
【請求項１４】
ワイヤレス通信のための装置であって、
システム情報ブロック(SIB)シグナリングに関連付けられたブロードキャスト送信または無線リソース制御(RRC)に関連付けられたユニキャスト送信を介する半静的構成に従ってスロットフォーマットを構成するための手段であって、
前記ブロードキャスト送信がセル固有の無線リソース制御(RRC)に対応し、
前記ユニキャスト送信がUE固有のRRCに対応する、手段と、
前記構成されたスロットフォーマットに従って少なくとも1つのユーザ機器(UE)と通信するための手段と
を含む、装置。
【請求項１５】
ワイヤレス通信のための装置であって、
システム情報ブロック(SIB)シグナリングに基づくブロードキャスト送信または無線リソース制御(RRC)に基づくユニキャスト送信を介する半静的構成に従ってスロットフォーマットを構成するための手段であって、
前記ブロードキャスト送信がセル固有の無線リソース制御(RRC)に対応し、
前記ユニキャスト送信がUE固有のRRCに対応する、手段と、
前記スロットフォーマットに従ってネットワークエンティティと通信するための手段と
を含む、装置。
【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
復調基準信号(DMRS)送信信号に関連付けられた基準信号ビットのセットと、データ送信信号に関連付けられたデータビットのセットとを検出するステップと、
前記基準信号ビットのセットに少なくとも部分的に基づいて、スクランブリングコードを識別するステップと、
前記識別されたスクランブリングコードに少なくとも部分的に基づいて、前記データビットのセットをデスクランブルするステップと
を含み、
前記DMRSは、物理データチャネルに関連付けられたタイミング情報を含む、
方法。
【請求項２】
前記データ送信信号が、物理データチャネルを使用して送信される、請求項1に記載の方法。
【請求項３】
巡回冗長検査(CRC)ビットのセットに少なくとも部分的に基づいて、CRC検証プロセスを実行するステップであって、前記CRCビットのセットが、前記基準信号ビットのセットと前記データビットのセットの両方に少なくとも部分的に基づいて計算される、ステップ
をさらに含む、請求項1に記載の方法。
【請求項４】
ワイヤレス通信のための方法であって、
復調基準信号(DMRS)送信信号に関連付けられた基準信号ビットのセットと、データ送信信号に関連付けられたデータビットのセットとを識別するステップと、
前記基準信号ビットのセットに少なくとも部分的に基づいて、スクランブリングコードを識別するステップと、
前記識別されたスクランブリングコードに少なくとも部分的に基づいて、前記データビットのセットをスクランブルするステップと、
前記DMRS送信信号と前記データ送信信号とを送信するステップと
を含み、
前記DMRSは、物理データチャネルに関連付けられたタイミング情報を含む、
方法。
【請求項５】
前記基準信号ビットのセットと前記データビットのセットの両方に少なくとも部分的に基づいて、巡回冗長検査(CRC)ビットのセットを計算するステップ
をさらに含む、請求項4に記載の方法。
【請求項６】
前記データ送信信号が、物理データチャネルを使用して送信され、
前記DMRS送信信号が、DMRS送信信号のために予約されたリソースを使用して送信される、
請求項4に記載の方法。
【請求項７】
前記DMRS送信信号が、前記物理データチャネルに関連付けられた位相基準情報を搬送する、請求項6に記載の方法。
【請求項８】
ワイヤレス通信のための装置であって、
復調基準信号(DMRS)送信信号に関連付けられた基準信号ビットのセットと、データ送信信号に関連付けられたデータビットのセットとを識別するための手段と、
前記基準信号ビットのセットに少なくとも部分的に基づいて、スクランブリングコードを識別するための手段と、
前記識別されたスクランブリングコードに少なくとも部分的に基づいて、前記データビットのセットをスクランブルするための手段と、
前記DMRS送信信号と前記データ送信信号とを送信するための手段と
を備え、
前記DMRSは、物理データチャネルに関連付けられたタイミング情報を含む、
装置。
【請求項９】
ワイヤレス通信のための装置であって、
復調基準信号(DMRS)送信信号に関連付けられた基準信号ビットのセットと、データ送信信号に関連付けられたデータビットのセットとを検出するための手段と、
前記基準信号ビットのセットに少なくとも部分的に基づいて、スクランブリングコードを識別するための手段と、
前記識別されたスクランブリングコードに少なくとも部分的に基づいて、前記データビットのセットをデスクランブルするための手段と、
を備え、
前記DMRSは、物理データチャネルに関連付けられたタイミング情報を含む、
装置。
【請求項１０】
巡回冗長検査(CRC)ビットのセットが、前記基準信号ビットのセットと前記データビットのセットの両方に少なくとも部分的に基づいて、計算される、
請求項8に記載の装置。
【請求項１１】
前記データ送信信号が、物理データチャネルを使用して送信され、
前記DMRS送信信号が、DMRS送信信号のために予約されたリソースを使用して送信される、
請求項8に記載の装置。
【請求項１２】
前記DMRS送信信号が、前記物理データチャネルに関連付けられた位相基準情報を搬送する、請求項11に記載の装置。
【請求項１３】
実行されると、請求項１乃至７のいずれか一項に記載の方法を実行するコードを含む、コンピュータプログラム。
【手続補正書】
【提出日】令和2年12月21日(2020.12.21)
【手続補正１】
【補正対象書類名】明細書
【補正対象項目名】００９９
【補正方法】変更
【補正の内容】
【００９９】
本明細書中で使用される「通信」及び「通信する」という用語は、情報（例えば、データ、信号、メッセージ、命令、コマンド、及び／又は、同様のもの）の受信、受け入れ、送信、転送、提供、及び／又は、同様のものを指す場合がある。１つのユニット（例えば、デバイス、システム、デバイス又はシステムのコンポーネント、それらの組み合わせ、及び／又は同様のもの）が他のユニットと通信するとは、１つのユニットが、情報を直接的又は間接的に、他のユニットから受信する、及び／又は他のユニットに送信することができることを意味する。これは、本質的に有線及び／又は無線である直接又は間接接続を指す場合がある。加えて、送信された情報が第１及び第２のユニット間で修正、処理、中継、及び／又はルーティングされ得るとしても、２つのユニットは相互に通信することができる。例えば、第１のユニットが、情報を受動的に受信して、第２のユニットに情報を能動的に送信しないとしても、第１のユニットは第２のユニットと通信することができる。他の例として、少なくとも１つの中間ユニット（例えば、第１のユニットと第２のユニットの間に位置する第３のユニット）が、第１のユニットから受信した情報を処理して、この処理された情報を第２のユニットに通信したとしても、第１のユニットは第２のユニットと通信することができる。いくつかの非限定的実施形態又は態様において、メッセージは、データを含むネットワークパケット（例えば、データパケット及び／又は同様のもの）を指す場合がある。多くの他の変更が可能であることは認められるであろう。多くの他の変更が可能であることは認められるであろう。
本明細書中で使用される「サーバ」という用語は、１つ以上のコンピューティングデバイス、例えば、プロセッサ、ストレージデバイス、及び／又は、インターネット又はプライベートネットワークのようなネットワーク上のクライアントデバイス及び／又は他のコンピューティングデバイスと通信する同様のコンピュータコンポーネントを指す場合がある。これは、いくつかの例において、他のサーバ及び／又はクライアントデバイスとの通信を容易にする。様々な他の変更が可能であることは認められるであろう。本明細書中で使用される「システム」という用語は、１つ以上のコンピューティングデバイス又はコンピューティングデバイスの組み合わせ、例えば、以下のものに限定されるわけではないが、プロセッサ、サーバ、クライアントデバイス、ソフトウェアアプリケーション、及び／又は他の同様のコンポーネントを指す場合がある。加えて、本明細書中で使用される「サーバ」又は「プロセッサ」に対する言及は、以前のステップ又は機能を実行するものとして記載された、以前に記載したサーバ及び／又はプロセッサ、別のサーバ及び／又はプロセッサ、及び／又は、サーバ及び／又はプロセッサの組み合わせを指す場合がある。例えば、明細書及び請求項中で使用されるように、第１のステップ又は機能を実行するものとして記載された第１のサーバ及び／又は第１のプロセッサは、第２のステップ又は機能を実行するものとして記載された同じ又は別のサーバ及び／又はプロセッサを指す場合がある。
【手続補正２】
【補正対象書類名】明細書
【補正対象項目名】０１００
【補正方法】変更
【補正の内容】
【０１００】
本発明の非限定的実施形態又は態様は、注入システム間でデータをピア交換するためのシステム、方法及びコンピュータプログラムプロダクト（例えば、注入制御データ、患者データ、注入システム設定データ、流体データ、付属品データ、プリセットデータ、事前試験データ等）に向けられている。幾つかの非限定的な実施形態又は態様において、方法は、少なくとも1つの第1の注入システムにより、複数の注入プロトコルを記憶するステップと、少なくとも1つの第1の注入システムにより、複数の注入プロトコルの第1のサブセットを決定するステップであって、第1のサブセットに従って、少なくとも1つの第1の注入システムが、患者に流体を送出するように構成される、ステップと、少なくとも1つの第1の注入システムにより、少なくとも1つの第1の注入システムを用いて流体を患者に送出するための複数の注入プロトコルの第1のサブセットを与えるステップと、少なくとも1つの第1の注入システムにより、複数の注入プロトコルを少なくとも1つの第2の注入システムに送信するステップとを含んでもよい。幾つかの非限定的な実施形態又は態様において、方法は、複数の注入システムを含むピア・ツー・ピアネットワーク内の注入システムにより、患者と関連付けられる事前試験データに関するクエリーを決定するステップと、注入システムにより、複数の注入システムを含むピア・ツー・ピアネットワーク内の少なくとも1つの他の注入システムにクエリーを送信するステップと、注入システムにより、ピア・ツー・ピアネットワーク内の少なくとも1つの他の注入システムからクエリーへの応答を受けるステップであって、クエリーへの応答が事前試験データを含み、事前試験データが患者に関して行なわれた少なくとも1つの事前試験と関連付けられる少なくとも1つの記録を含む、ステップと、注入システムにより、ユーザインタフェースを介して事前試験データを与えるステップとを含んでもよい。幾つかの非限定的な実施形態又は態様において、方法は、患者に対する少なくとも1つの流体の送出を制御するように構成される複数の注入システムを含むピア・ツー・ピアネットワーク内の注入システムにより、複数の注入システムと関連付けられるデータを記憶するステップと、注入システムによりデータを変更するステップと、注入システムにより、データの変更に応じて、複数の注入システムを含むピア・ツー・ピアネットワーク内の少なくとも1つの他の注入システムに対して変更されたデータを自動的に送信するステップとを含んでもよい。
【手続補正書】
【提出日】令和3年6月28日(2021.6.28)
【手続補正１】
【補正対象書類名】明細書
【補正対象項目名】０００５
【補正方法】変更
【補正の内容】
【０００５】
電子デバイスは一般に、容量性タッチスクリーンなどのタッチスクリーンで構成されている。認証または検証品目をタッチスクリーンおよび電子デバイスの基盤となるソフトウェアアプリケーションと、または電子デバイスを介してネットワークまたはネットワークベースのコンピューティング要素に統合する能力により、認証、検証、セキュリティ、支払い処理、およびトランザクションビジネスの試みにおいて膨大な可能性が開かれている。本明細書に記載および想定される本発明および様々な実施形態は、これまで満たされていない必要性に対処するものである。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２０１７／０３０８７８１号明細書
（特許文献２）  米国特許出願公開第２０１３／００６９９０８号明細書
（特許文献３）  米国特許出願公開第２０１４／００２１０２７号明細書
（特許文献４）  米国特許出願公開第２０１２／０２９８７３８号明細書
（特許文献５）  米国特許第９，５８９，１６１号明細書
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
照明負荷を駆動するための照明ドライバであって、
制御ＤＣ電源と、
前記照明負荷を流れる電流を検知するための電流センサと、
前記制御ＤＣ電源によって送られる出力電圧を検知するための電圧センサと、
前記制御ＤＣ電源の出力電流を制御するための、前記電流センサに接続されたコントローラと、を備え、前記コントローラが、
前記照明負荷の少なくとも１つの動作電流を決定するための動作の第１の試験モードと、
決定された前記動作電流に応じて電流を前記照明負荷に送るための動作の第２の動作モードと、を実施するようになされており、前記コントローラが、前記第１のモードで、
一連の駆動電流を前記照明負荷に送ることと、
各駆動電流に対する前記出力電圧を測定し、それによって電圧電流関係を取得することと、
前記電圧電流関係から動作電流範囲を決定することであって、前記動作電流範囲のために、前記出力電圧が閾値挙動を示す前記一連の駆動電流から最小動作電流及び最大動作電流が決定されることと、を行うようになされている、照明ドライバ。
【請求項２】
前記コントローラは、前記第１のモードで、
駆動電流の増加に対する増分出力電圧の関数を決定するようになされている、請求項１に記載の照明ドライバ。
【請求項３】
前記コントローラは、前記第２のモードで、前記最小動作電流と前記最大動作電流との間で調光レベルの関数として出力動作電流を送るようになされている、請求項１又は２に記載の照明ドライバ。
【請求項４】
前記コントローラは、前記第１のモードを、
電力が前記ドライバに新たに供給されるたびに、及び／又は
ユーザ入力に応答して、及び／又は
タイマー信号に応答して、実施するようになされている、請求項１乃至３のいずれか一項に記載の照明ドライバ。
【請求項５】
前記制御ＤＣ電源は、保護機能として機能する最大ＤＣ出力電圧を有する、請求項１乃至４のいずれか一項に記載の照明ドライバ。
【請求項６】
前記コントローラは、前記制御ＤＣ電源の前記出力電圧の監視により前記照明負荷の前記変動を検出するようになされている、請求項４に記載の照明ドライバ。
【請求項７】
前記コントローラは、前記制御ＤＣ電源の前記出力電圧から過負荷又は負荷短絡状態を識別するようになされている、請求項１乃至６のいずれか一項に記載の照明ドライバ。
【請求項８】
ＡＣ主電源入力を受け取るためのＡＣ／ＤＣコンバータを備え、前記ＡＣ／ＤＣコンバータは、前記制御ＤＣ電源を備える、請求項１乃至７のいずれか一項に記載の照明ドライバ。
【請求項９】
ＬＥＤ装置と、
前記ＬＥＤ装置を駆動するための、請求項１乃至８のいずれか一項に記載の照明ドライバと、
を備える照明回路。
【請求項１０】
前記ＬＥＤ装置は、１つ以上のレトロフィットＡＣ  ＬＥＤランプを備える、請求項９に記載の照明回路。
【請求項１１】
照明負荷を駆動するための方法であって、
前記照明負荷の少なくとも１つの動作電流を決定するための動作の第１の試験モードを行うステップと、
決定された前記動作電流に応じて電流を前記照明負荷に送るための動作の第２の動作モードを行うステップであって、前記電流が、制御ＤＣ電源を動作させることによって送られ、前記照明負荷を流れる電流を検知するための電流センサによって監視される、ステップと、を含み、
前記第１のモードが、
一連の駆動電流を前記照明負荷に送るステップと、
各駆動電流に対する出力電圧を測定し、それによって電圧電流関係を取得するステップと、
前記電圧電流関係から動作電流の範囲を決定するステップであって、前記動作電流の範囲のために、前記出力電圧が閾値挙動を示す前記一連の駆動電流から最小動作電流及び最大動作電流は決定される、ステップと、を含む、方法。
【請求項１２】
駆動電流の増加に対する増分の前記出力電圧の関数を決定するステップを前記第１のモードにおいて含む、請求項１１に記載の方法。
【請求項１３】
前記第１のモードを、
電力が前記ドライバに新たに供給されるたびに、及び／又は
ユーザ入力に応答して、及び／又は
タイマー信号に応答して、行うステップを含む、請求項１１又は１２に記載の方法。
【手続補正書】
【提出日】令和3年6月28日(2021.6.28)
【手続補正１】
【補正対象書類名】特許請求の範囲
【補正対象項目名】全文
【補正方法】変更
【補正の内容】
【特許請求の範囲】
【請求項１】
第１の画像を制御ユニットで受信し、前記第１の画像は走査電子顕微鏡システムの対物レンズのアライメント情報を提供し、
前記制御ユニットを用いて、前記第１の画像に基づいて第１のＸ−Ｙ電圧対を決定し、前記第１のＸ−Ｙ電圧対は、第１の画像よりもアライメントターゲットの中心に接近した前記対物レンズのアライメントを提供し、
前記第１のＸ−Ｙ電圧対の決定は第１の深層学習ニューラルネットワークを用い、前記第１の深層学習ニューラルネットワークを用いた前記第１のＸ−Ｙ電圧対の決定は、前記第１の画像を訓練画像群に基づいて分類し、前記第１のＸ−Ｙ電圧対が前記訓練画像群から粗グリッドポイントに属するように前記第１のＸ−Ｙ電圧対を生成することを含み、  前記制御ユニットを用いて、前記第１のＸ−Ｙ電圧対を前記走査電子顕微鏡システムに通信し、
前記制御ユニットで第２の画像を受信し、前記第２の画像は前記対物レンズのアライメント情報を提供し、前記第２の画象は前記第１のＸ−Ｙ電圧対の設定の結果であり、
前記制御ユニットを用いて、前記第２の画像に基づいて第２のＸ−Ｙ電圧対を決定し、前記第２のＸ−Ｙ電圧対は、前記第１のＸ−Ｙ電圧対よりもアライメントターゲットの中心に接近した前記対物レンズのアライメントを提供し、
前記第２のＸ−Ｙ電圧対の決定は第２の深層学習ニューラルネットワークを用い、
前記制御ユニットを用いて、第２のＸ−Ｙ電圧対を走査電子顕微鏡システムに通信する、ことを含む方法。
【請求項２】
前記第１のＸ−Ｙ電圧対は１つのクラスである、請求項１に記載の方法。
【請求項３】
前記第２のＸ−Ｙ電圧対は連続値である、請求項１に記載の方法。
【請求項４】
前記第２のＸ−Ｙ電圧対は複数の結果の平均に基づいている、請求項１に記載の方法。
【請求項５】
前記第２の画像を生成する前に前記走査電子顕微鏡のＱ４レンズに前記第１のＸ−Ｙ電圧対を印加し、
前記第２のＸ−Ｙ電圧対を前記走査電子顕微鏡のＱ４レンズに印加することを含む、請求項１に記載の方法。
【請求項６】
前記第１の深層学習ニューラルネットワークは分類ネットワークを含む、請求項１に記載の方法。
【請求項７】
前記第２の深層学習ニューラルネットワークは回帰ネットワークアンサンブルを含む、請求項１に記載の方法。
【請求項８】
前記第１の画像と第２の画像は、カーボン基板上に金メッキ錫球を備えたカーボン基板の画像である、請求項１に記載の方法。
【請求項９】
前記第１のＸ−Ｙ電圧対は、前記第１の画像の焦点内領域の中心のＸ座標とＹ座標に対応する、請求項１に記載の方法。
【請求項１０】
前記第２の深層学習ニューラルネットワークを用いた前記第２のＸ−Ｙ電圧対の決定は、前記第２の画像を訓練画像群に基づいて分類し、前記第２のＸ−Ｙ電圧対が前記訓練画像群から粗グリッドポイントに属するように前記第２のＸ−Ｙ電圧対を生成することを含む、請求項１に記載の方法。
【請求項１１】
プログラムを記憶した非一時的コンピュータ可読媒体であって、前記プログラムは、プロセッサに、
第１の画像を受信し、前記第１の画像は走査電子顕微鏡システム内の対物レンズのアライメント情報を提供し、
前記第１の画像に基づいて第１のＸ−Ｙ電圧対を決定し、前記第１のＸ−Ｙ電圧対は、第１の画像よりもアライメントターゲットの中心に接近した前記対物レンズのアライメントを提供し、
前記第１のＸ−Ｙ電圧対の決定は第１の深層学習ニューラルネットワークを用い、前記第１の深層学習ニューラルネットワークを用いた前記第１のＸ−Ｙ電圧対の決定は、前記第１の画像を訓練画像群に基づいて分類し、前記第１のＸ−Ｙ電圧対が前記訓練画像群から粗グリッドポイントに属するように前記第１のＸ−Ｙ電圧対を生成することを含み、
前記第１のＸ−Ｙ電圧対を通信し、
第２の画像を受信し、前記第２の画像は対物レンズのアライメント情報を提供し、前記第２の画像は、第１のＸ−Ｙ電圧対の設定の結果であり、
前記第２の画像に基づいて第２のＸ−Ｙ電圧対を決定し、前記第２のＸ−Ｙ電圧対は、前記第１のＸ−Ｙ電圧対よりもアライメントターゲットの中心に接近した前記対物レンズのアライメントを提供し、
前記第２のＸ−Ｙ電圧対の決定は第２の深層学習ニューラルネットワークを用い、
前記第２のＸ−Ｙ電圧対を通信する、
ように命令するように構成されている非一時的コンピュータ可読媒体。
【請求項１２】
前記第１のＸ−Ｙ電圧対は１つのクラスである、請求項１１に記載の非一時的コンピュータ可読媒体。
【請求項１３】
前記第２のＸ−Ｙ電圧対は連続値である、請求項１１に記載の非一時的コンピュータ可読媒体。
【請求項１４】
前記第２のＸ−Ｙ電圧対は複数の結果の平均に基づいている、請求項１１に記載の非一時的コンピュータ可読媒体。
【請求項１５】
前記第１の深層学習ニューラルネットワークは分類ネットワークを含む、請求項１１に記載の非一時的コンピュータ可読媒体。
【請求項１６】
前記第２の深層学習ニューラルネットワークは回帰ネットワークアンサンブルを含む、請求項１１に記載の非一時的コンピュータ可読媒体。
【請求項１７】
前記第１のＸ−Ｙ電圧対と第２のＸ−Ｙ電圧対は前記走査電子顕微鏡システムに通信される、請求項１１に記載の非一時的コンピュータ可読媒体。
【請求項１８】
制御ユニットがプロセッサと、メモリと、走査電子顕微鏡システムと電子的に通信する通信ポートとを含み、前記制御ユニットが、
第１の画像を受信し、前記第１の画像は前記走査電子顕微鏡システム内の対物レンズのアライメント情報を提供し、
前記第１の画像に基づいて第１の深層学習ニューラルネットワークを用いて第１のＸ−Ｙ電圧対を決定し、前記第１のＸ−Ｙ電圧対は、前記第１の画像よりもアライメントターゲットの中心に接近した前記対物レンズのアライメントを提供し、
前記第１の深層学習ニューラルネットワークを用いた前記第１のＸ−Ｙ電圧対の決定は、前記第１の画像を訓練画像群に基づいて分類し、前記第１のＸ−Ｙ電圧対が前記訓練画像群から粗グリッドポイントに属するように前記第１のＸ−Ｙ電圧対を生成することを含み、
前記第１のＸ−Ｙ電圧対を前記走査電子顕微鏡システムに通信し、
第２の画像を受信し、前記第２の画像は対物レンズのアライメント情報を提供し、前記第２の画像は、前記第１のＸ−Ｙ電圧対の設定の結果であり、
前記第２の画像に基づいて第２の深層学習ニューラルネットワークを用いて第２のＸ−Ｙ電圧対を決定し、前記第２のＸ−Ｙ電圧対は、前記第１のＸ−Ｙ電圧対よりもアライメントターゲットの中心に接近した前記対物レンズのアライメントを提供し、
前記第２のＸ−Ｙ電圧対を前記走査電子顕微鏡システムに通信する、ように構成されているシステム。
【請求項１９】
さらに電子ビーム源と、Ｑ４レンズおよび前記対物レンズを有する電子光学カラムと、検出器を備え、前記制御ユニットは前記Ｑ４レンズおよび前記検出器と電子的に通信する、請求項１８に記載のシステム。
【請求項２０】
前記第１の画像と第２の画像は、カーボン基板上に金メッキ錫球を備えたカーボン基板の画像である、請求項１８に記載のシステム。
【手続補正２】
【補正対象書類名】図面
【補正対象項目名】図６
【補正方法】変更
【補正の内容】
【図６】
2020526872.tif 000001
【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
以下の複数の動作を実行することによってソフトウェアコンポーネント・エコシステムを実現するための方法であって、前記以下の複数の動作は、
ユーザ入力デバイスから１つ以上の信号を受取って、デベロッパエンティティの識別名を規定することと、
ユーザ入力デバイスから１つ以上の信号を受取って、安全な検証メカニズムを規定することと、
前記安全な検証メカニズムと関連付けてデベロッパエンティティ名を含むカタログエントリを記録することと、
前記カタログエントリと関連付けてトランザクションを実行して、ソフトウェアコンポーネントを転送することと、
前記カタログエントリを用いて、前記トランザクションを検証することとを含む、方法。
【請求項２】
前記安全な検証メカニズムは公開鍵およびデジタル署名を含む、請求項１に記載の方法。
【請求項３】
前記ソフトウェアコンポーネント・エコシステムにおける複数のノードに前記カタログエントリを伝搬する動作をさらに含む、請求項２に記載の方法。
【請求項４】
前記複数のノードの各々は、分散型ブロックチェーン台帳のレプリカまたは近似レプリカを維持する前記複数のノードと協調して前記分散型ブロックチェーン台帳を実現するためのコードを含むカタログインスタンスを表わす、請求項３に記載の方法。
【請求項５】
前記エントリにネームスペースを割付ける動作をさらに含む、請求項２に記載の方法。
【請求項６】
複数の相互通信カタログインスタンスを含む、請求項１に記載の分散型ピア・ツー・ピア・コンポーネント・エコシステムのコンポーネントカタログのインスタンスを用いて、
前記デベロッパエンティティ名に関するデベロッパエンティティ登録情報を受取るステップと、
前記デベロッパエンティティ登録情報を検証して、前記デベロッパエンティティ登録情報を、デベロッパエンティティ登録の記録またはブロックとして、前記複数の相互通信カタログインスタンスの各々にアクセス可能であるブロックチェーンとして実現される分散型データベースにコミットすることにより、前記分散型ピア・ツー・ピア・コンポーネント・エコシステムのフルノードすべてに対して前記デベロッパエンティティ登録情報を伝搬するステップとを実行する、請求項１に記載の方法。
【請求項７】
前記受取るステップは、
前記デベロッパエンティティ名と、登録が実行されているカタログインスタンスに関連付けられた公開鍵と、前記デベロッパエンティティ名に関連付けられたデジタル署名とをデベロッパエンティティにより供給するステップの後に行なわれ、前記デジタル署名は、前記複数の相互通信カタログインスタンスのカタログインスタンスで、デベロッパエンティティアイデンティティを確認するのに使用可能である、請求項６に記載の方法。
【請求項８】
前記分散型ピア・ツー・ピア・コンポーネント・エコシステムの前記フルノードは、前記複数の相互通信カタログインスタンスを含む、請求項６に記載の方法。
【請求項９】
ネームスペース登録プロセス中の１つ以上の供給されたネームスペースをデベロッパ登録情報に関連付けることによって、
前記デベロッパエンティティ登録情報を伝搬した後、前記ネームスペース登録プロセスの開始および実現に応答して、１つ以上のネームスペースをデベロッパエンティティに割付けることをさらに含む、請求項６に記載の方法。
【請求項１０】
いくつかの記録が前記ブロックチェーンの一連の記録にコミットされる後まで、デベロッパエンティティのための前記ネームスペース登録プロセスの実現を選択的に遅延させることをさらに含む、請求項９に記載の方法。
【請求項１１】
請求項１〜１０のいずれか１項に記載の方法を１つ以上のプロセッサに実行させる、プログラム。
【請求項１２】
請求項１１に記載のプログラムが格納されたメモリと、
前記プログラムを実行するための１つ以上のプロセッサとを備える、装置。